(57)【要約】 【課題】  本発明は、屋根を構成するいかなる屋根面においても、比較的長尺に成る雪止め部材を設置することを目的に、その取付具材を雪止め部材の内側部に構成することにより、積雪の滑落による影響を取付具材に与えることなく、常に安定状態に保持しておくとともに、全屋根面の美観を害さず、むしろ増進させるようにすることを目的とする。 【解決手段】  全体が長方形状に成る前後左右の座板２，２，２’，２’によって構成した台枠座材１の左右側端部に三角形状の側杆３，３を立設して立方形体の基礎を設け、この立方形体の前記側杆の頂点部間に頂杆材４を架設し、この頂杆材から間隔をおいて平行に横杆材５，５・・を架設し、このように成る立方形体の傾斜面部の上下杆材間に任意形状に曲折して成る補助杆材を懸架して成り、このように成る立方形体の台座枠材の内側部の適当位置に屋根面部への取付具材９，９を設置して成る屋根用雪止め具である。【選択図】    図１
2016089343.tif 000002
【特許請求の範囲】
【請求項１】
全体が長方形状に成る前後左右の座板によって構成した台枠座材の左右側端部に三角形状の側杆を立設して立方形体の基礎を設け、この立方形体の前記側杆の頂点部間に頂杆材を架設し、この頂杆材から間隔をおいて平行に横杆材を架設し、このように成る立方形体の傾斜面部の上下杆材間に任意形状に曲折して成る補助杆材を懸架して成り、このように成る立方形体の台座枠材の内側部の適当位置に屋根面部への取付具材を設置して成ることを特徴とする屋根用雪止め具。
【請求項２】
適当長さの長方形状に成る台座枠材の内側部の適当位置に取付具を設置した雪止め具体を長手方向に連結して成る請求項１に記載した屋根用雪止め具。
【発明の詳細な説明】
【技術分野】
【０００１】
本発明は、屋根面に取付ける雪止め具に関するものである。
【背景技術】
【０００２】
従来、本件発明者は、各種の屋根面上における雪止め部材として下記に例示した発明をしているところ、この雪止め部材を取付けるための具材はすべて外部に設置していたことから、雪止め部材及びその取付具材が占拠する屋根面積は比較的広くなることから、雪止め部材の設置数も限定されていた。
【先行技術文献】
【特許文献】
【０００３】
【特許文献１】特許第５５５８０５５号公報
【発明の概要】
【発明が解決しようとする課題】
【０００４】
そこで、本発明は、屋根を構成するいかなる屋根面においても、比較的長尺に成る雪止め部材を設置することを目的に、その取付具材を雪止め部材の内側部に構成することにより、積雪の滑落による影響を取付具材に与えることなく、常に安定状態に保持しておくとともに、全屋根面の美観を害さず、むしろ増進させるようにすることを目的とするものである。
【課題を解決するための手段】
【０００５】
本発明は、適当長さの長方形状に形成した台枠座材上に、杆材により側面三角形状に成る立方形体を設置し、この立方形体の傾斜面部においては、頂点部の頂杆材とこれに間隔をおいて平行に横杆材を架設し、この傾斜面部の上下杆材間に任意形状に曲折して成る補助杆材を懸架し、このように成る立方形体の雪止め部材の台枠座材の内側部の適当位置に屋根面部への取付具材を設置して成るものである。
【発明の効果】
【０００６】
第１に、屋根面上の積雪の滑落状態を立方形体の傾斜面部における細杆材の組立てによる雪止め部材によって阻止できることは勿論、この雪止め部材となる立方形体が被套する台枠座材の内側部に取付具材を設置するものであるから、屋根面を滑落しようとする積雪が雪止め部材を固定している取付具材に直接接触することはなく、積雪が取付部材に影響を与えることはなく、安全に取付状態を維持することができるようになる。
【０００７】
第２に、前記雪止め部材は細杆材によって積雪に対処するから、部材周辺における積雪状態に対して切断作用とともに空気の流通により融解作用を促進することができる。
【０００８】
第３に、いかなる家屋のいかなる屋根面にあっても、美観よく設置状態を維持することができる。
【図面の簡単な説明】
【０００９】
図面は本発明における同一の技術的思想から創作された実施例を示すもので、これらの図面の実施例に限定されるものではないが、基本的には、基礎となる長尺の台枠座材を共通にし、本雪止め取付具を雪止め部材によって被套する台枠座材の内側部に設置しているものである。
【００１０】
【図１】実施例１の全体の斜視図
【図２】図１の平面図
【図３】図１の背面図
【図４】図１の右側面図
【図５】図１の要部の正面図
【図６】図１の他例要部の正面図
【図７】実施例２の全体の斜視図
【図８】図７の平面図
【図９】図７の背面図
【図１０】図７の右側面図
【図１１】実施例３の全体の斜視図
【図１２】図１１の平面図
【図１３】図１１の背面図
【図１４】図１１の右側面図
【図１５】実施例４の全体の斜視図
【図１６】図１５の要部の正面図
【図１７】図１５の要部の背面図
【図１８】図１５の右側面図
【図１９】実施例５の斜視図
【図２０】図１９の要部の正面図
【図２１】図１９の右側面図
【図２２】実施例６の斜視図
【図２３】図２２の平面図
【図２４】図２２の背面図
【図２５】図２２の右側面図
【発明を実施するための形態】
【００１１】
屋根面上の積雪は、屋根面上の台枠座材を被套する本雪止め部材に押し当たって滑落しようとしても、各種に組み立てられた頂杆材と横杆材とこの両杆材間に架設されている任意形状に曲折して構成する補強杆材とによって頑固に阻止されることになる。
【００１２】
また、このように構成した雪止め部材を、長手方向に所望数連結して設置することを可能とするもので、屋根面における雪止め部材の設置の位置は、使用者の希望に合わせて決めればよい。
【００１３】
また、本雪止め部材を屋根面部に固定しておくための取付具材は、雪止め部材の内部に設置されているものであるから、積雪が内部の取付具材に接触して何らかの影響を与えるようなことはない。
【実施例１】
【００１４】
図１乃至図６の実施例１について説明する。
【００１５】
１は全体が適当長さの長方形状に成る前後左右の座板２，２，２’，２’によって構成した台枠座材で、この台枠座材の左右両側端部には三角形状の側杆３，３を立設する。
【００１６】
前記台枠座材１の中間部には前後座板２，２間に中座板２’’を設けたり、前記側杆３，３に中側杆３’，３’を設けたりする。
【００１７】
４は前記両側杆３，３の頂点部間に架設した頂杆材で、この頂杆材から左右の両側杆３，３の前後の傾斜面部間に平行に横杆材５，５・・を適当間隔をおいて架設する。
【００１８】
６・・は前記傾斜面部の頂杆材４と横杆材５，５・・との上下間隔部に架設した波形杆材で、これは直杆を任意の波形状に曲折して構成したもので、図５及び図６においては波形状が異なるものを例示している。この波形杆材の架設は、一方の傾斜面部だけでもよい。
【００１９】
７は以上の構成から成る雪止め部材を指す。
【００２０】
８，８は前後座板２，２間の適所に架設した底板で、この底板には前記雪止め部材７を屋根面部に取付け固定するための取付具材９，９を設置するが、この両取付具材は、左右の底板８，８間に架設する副底板８’に装着する。前記取付具材９，９の数は、雪止め部材７を構成する台枠座材１の長さに合わせて設計すればよい。
【実施例２】
【００２１】
図７乃至図１０の実施例２について説明する。
【００２２】
１は全体が適当長さの長方形状に形成した前後左右の座板２，２，２’，２’によって構成した台枠座材で、この台枠座材の左右両側端部には三角形状の側杆３，３を立設する。
【００２３】
４は前記両側杆３，３の頂点部間に架設した頂杆材で、この頂杆材から左右の両側杆３，３の前後の傾斜面部間に平行に横杆材５，５・・を適当間隔をおいて架設する。
【００２４】
１０・・は前記傾斜面部の頂杆材４と横杆材５，５・・との上下間隔部の前後傾斜面部に架設した角張形杆材で、これは直杆を任意の角張り形状に曲折して構成したものである。この角張形杆材の架設は、一方の傾斜面部だけでもよい。
【００２５】
７は以上の構成から成る雪止め部材を指す。
【００２６】
９，９は前記雪止め部材７全体を屋根面部に取付け固定する取付具材で、この取付具材の後端部に設けた掛止部９’，９’を，後側座板２の内方部間に平行に架設した副座板１５の一部に掛止めて取付けるようにする。
【００２７】
前記取付具材の数は、雪止め部材を構成する台枠座材１の長さに合わせて設計すればよい。
【実施例３】
【００２８】
図１１乃至図１４の実施例３について説明する。
【００２９】
１は全体が適当長さの長方形状に形成した前後左右の座板２，２，２’，２’によって構成した台枠座材で、この台枠座材の左右両側端部には三角形状の側杆３，３を立設する。
【００３０】
４は前記両側杆３，３の頂点部間に架設した頂杆材で、この頂杆材から左右の両側杆３，３の前後の傾斜面部間に平行に横杆材５，５・・を適当間隔をおいて架設する。
【００３１】
１１・・は前記頂杆材４と横杆材５，５・・との上下間隔部の前後傾斜面部に架設した菱目形杆材で、これは直杆を任意の菱目形状に曲折して構成したものである。この菱目形杆材の架設は、一方傾斜面部だけでもよい。
【００３２】
７は以上の構成から成る雪止め部材を指す。
【００３３】
９，９は前記雪止め部材７全体を屋根面部に取付け固定する取付具材で、この取付具材の後端部に設けた掛止部９’，９’を，後側座板２の内方部間に平行に架設した副座板１５の一部に掛止めて取付けるようにする。
【００３４】
前記取付具材の数は、雪止め部材を構成する台枠座材１の長さに合わせて設計すればよい。
【実施例４】
【００３５】
図１５乃至図１８の実施例４について説明する。
【００３６】
１は全体が適当長さの長方形状になる前後左右の座板２，２，２’，２’によって構成した台枠座材で、この台枠座材の左右両側端部には三角形状の側杆３，３を立設する。
【００３７】
前記台枠座材１の中間部には前後座板２，２間に中座板２’’を設けたり、前記側杆３，３に中側杆３’，３’を設けたりする。
【００３８】
４は前記両側杆３，３の頂点部間に架設した頂杆材で、この頂杆材から左右の両側杆３，３の前後の傾斜面部間に平行に横杆材５，５・・を適当間隔をおいて架設する。
【００３９】
１２・・は前記傾斜面部の頂杆材４と横杆材５，５・・との上下間隔部の前後傾斜面部に異なる方向性を有して架設した異方向杆材である。
【００４０】
７は以上の構成から成る雪止め部材を指す。
【００４１】
８，８は前後座板２，２間の適所に架設した底板で、この底板には前記雪止め部材７を屋根面部に取付け固定するための取付具材９，９を設置するが、この両取付具材は、左右の底板８，８間に架設する副底板８’に装着する。前記取付具材９，９の数は、雪止め部材７を構成する台枠座材１の長さに合わせて設計すればよい。
【実施例５】
【００４２】
図１９乃至図２１の実施例５について説明する。
【００４３】
１は全体が適当長さの長方形状になる前後左右の座板２，２，２’，２’によって構成した台枠座材で、この台枠座材の左右両側端部には三角形状の側杆３，３を立設する。
【００４４】
前記台枠座材１の中間部には前後座板２，２間に中座板２’’を設けたり、前記側杆３，３に中側杆３’，３’を設けたりする。
【００４５】
４は前記両側杆３，３の頂点部間に架設した頂杆材で、この頂杆材から左右の両側杆３，３の前後の傾斜面部間に平行に横杆材５，５・・を適当間隔をおいて架設する。
【００４６】
１３・・は前記傾斜面部の頂杆材４と横杆材５，５・・との上下間隔部の前後傾斜面部に異なる方向性を有して架設した別異方向杆材である。
【００４７】
７は以上の構成から成る雪止め部材を指す。
【００４８】
８，８は前後座板２，２間の適所に架設した底板で、この底板には前記雪止め部材７を屋根面部に取付け固定するための取付具材９，９を設置するが、この両取付具材は、左右の底板８，８間に架設する副底板８’に装着する。前記取付具材９，９の数は、雪止め部材７を構成する台枠座材１の長さに合わせて設計すればよい。
【実施例６】
【００４９】
図２２乃至図２５の実施例６について説明する。
【００５０】
１は全体が適当長さの長方形状になる前後左右の座板２，２，２’，２’によって構成した台枠座材で、この台枠座材の左右両側端部には三角形状の側杆３，３を立設する。
【００５１】
前記台枠座材１の中間部には中座板２’’を設けたり、中側杆３’を設けたりする。
【００５２】
４は前記両側杆３，３の頂点部間に架設した頂杆材で、この頂杆材から左右の両側杆３，３の前後の傾斜面部間に平行に横杆材５，５・・を適当間隔をおいて架設する。
【００５３】
１４・・はこれも前記頂杆材４と横杆材５，５・・との上下間隔部の前後傾斜面部に異なる方向性を有して架設した別異方向杆材である。
【００５４】
７は以上の構成から成る雪止め部材である。
【００５５】
８，８は前後座板２，２間の適所に架設した底板で、この底板には前記雪止め部材７を屋根面部に取付け固定するための取付具材９，９を設置するが、この両取付具材は、左右の底板８，８に架設する副底板８’に装着する。前記取付具材９，９の数は、雪止め部材７を構成する台枠座材１の長さに合わせて設計すればよい。
【符号の説明】
【００５６】
１                            台枠座材
２，２，２’，２’            座板
２’’                        中座板
３，３                        側杆
３’                          中側杆
４                            頂杆材
５，５・・                    横杆材
６，６・・                    波形杆材
７                            雪止め部材
８，８                        底板
８’                          副底板
９，９                        取付具材
１０・・                      角張形杆材
１１・・                      菱目形杆材
１２・・                      異方向杆材
１３・・                      別異方向杆材
１４・・                      別異方向杆材
１５                          副座板
【図１】
2016089343.tif 000003
【図２】
2016089343.tif 000004
【図３】
2016089343.tif 000005
【図４】
2016089343.tif 000006
【図５】
2016089343.tif 000007
【図６】
2016089343.tif 000008
【図７】
2016089343.tif 000009
【図８】
2016089343.tif 000010
【図９】
2016089343.tif 000011
【図１０】
2016089343.tif 000012
【図１１】
2016089343.tif 000013
【図１２】
2016089343.tif 000014
【図１３】
2016089343.tif 000015
【図１４】
2016089343.tif 000016
【図１５】
2016089343.tif 000017
【図１６】
2016089343.tif 000018
【図１７】
2016089343.tif 000019
【図１８】
2016089343.tif 000020
【図１９】
2016089343.tif 000021
【図２０】
2016089343.tif 000022
【図２１】
2016089343.tif 000023
【図２２】
2016089343.tif 000024
【図２３】
2016089343.tif 000025
【図２４】
2016089343.tif 000026
【図２５】
2016089343.tif 000027